(57)【要約】  良好な配光特性を有する照明装置を低コストにて製造する。照明装置は、ＬＥＤ（２１）および光源カバー（２３）を有する発光部１１を備え、発光部（１１）は、光源カバー（２３）の表面から出射する光束について、ＬＥＤ（２１）の前方向と横方向との比である横／縦が１以上であり、発光部（１１）の後方向へ出射する光を反射する反射板１２を備える。
2019142386.tif 000002
【特許請求の範囲】
【請求項１】
光源であるＬＥＤ、および前記ＬＥＤを覆う光源カバーを有する発光部を備えている照明装置において、
前記発光部は、前記光源カバーの表面から出射する光束の、前記ＬＥＤの配光が最も強い方向である前方向と前記前方向と直交する横方向との比である横／縦が１以上であり、
前記発光部における前記前方向とは反対側の面に設けられ、前記発光部から前記発光部の後方向へ出射する光を反射する反射部材を備えていることを特徴とする照明装置。
【請求項２】
前記反射部材の反射面は、前記前方向に対する角度が９０度以上、１２０度以下であることを特徴とする請求項１に記載の照明装置。
【請求項３】
前記反射部材の反射面は、前記前方向に対する角度が９０度よりも大きいことを特徴とする請求項２に記載の照明装置。
【請求項４】
前記反射部材の反射面は乳白色であることを特徴とする請求項１から３のいずれか１項に記載の照明装置。
【請求項５】
前記反射部材の反射面は、前記光源カバーの前記横方向の左側と右側とで光の反射状態が異なることを特徴とする請求項１から３のいずれか１項に記載の照明装置。
【請求項６】
前記反射部材の反射面は、前記光源カバーの前記横方向の左側と右側とのうちの一方が鏡面であり、他方が乳白色面であることを特徴とする請求項５に記載の照明装置。
【請求項７】
請求項１から６のいずれか１項に記載の照明装置を備えていることを特徴とする看板。
【請求項８】
請求項１から６のいずれか１項に記載の照明装置を備えていることを特徴とするショーケース。
【請求項９】
請求項１から６のいずれか１項に記載の照明装置を備えていることを特徴とする防犯灯。
【発明の詳細な説明】
【技術分野】
【０００１】
本発明は、発光ダイオードを光源とする照明装置、看板、ショーケースおよび防犯灯に関する。
【背景技術】
【０００２】
従来から、照明装置の光源として、蛍光灯や白熱電球に代えて、低消費電力、高輝度かつ長寿命であることから、発光ダイオード（以下、ＬＥＤと称する）が使用されている。【０００３】
図６１は、ＬＥＤ基板３０３の配光状態を示す説明図である。図６２は、図６１に示したＬＥＤ基板３０３を例えば乳白色の管状あるいは球状の光源カバー３０４にて覆って形成した従来の光源部３０５の配光状態を示す説明図である。【０００４】
図６１に示すように、ＬＥＤ３０１は、通常、基板３０２の一面に取り付けられてＬＥＤ基板３０３として構成され、ＬＥＤ３０１の位置から見て真横の光はゼロで、相対的に前方向の配光の方が大きい配光特性を有する。これは、蛍光灯や白熱電球が指向性を有していないのに対し、ＬＥＤ３０１が指向性を有していることによる。また、図６２に示すように、ＬＥＤ基板３０３を例えば乳白色の管状あるいは球状の光源カバー３０４にて覆って形成した光源部３０５は、光源カバー３０４を有することにより、光源部３０５の中心から見て、ＬＥＤ３０１単体の場合に比べ配光が横方向に若干広がった配光特性を有する。【０００５】
ここで、図６１あるいは図６２のような配光特性を有する照明装置は、下方など、一方向を照らす通常の照明装置として使用する場合には、特に問題は生じない。実際上、上記従来の照明装置は、傘状の反射部材と組み合わせて、光を絞り込んで一方向を照らす照明装置として多用されている。【０００６】
一方、例えば看板内やショーケースに設ける照明装置は、相対的に横方向に配光が大きい配光特性を有する照明装置が好ましい。このため、図６１あるいは図６２のような配光特性を有する照明装置は、光源の粒々感、グレアおよび光ムラが生じ易く、上記のような用途には不向きである。【０００７】
そこで、特許文献１に記載の構成では、複数のＬＥＤを有する場合に、蛍光体を含有した波長変換部材にて各ＬＥＤを個別に覆うことにより、相対的に前方よりも横方向への配光が大きくなるようにしている。【０００８】
特許文献２に記載の構成では、複数のＬＥＤを有する場合に、各ＬＥＤを個別にレンズにて覆うことにより、光源からの光を横方向に広げるようにしている。【０００９】
特許文献３に記載の構成では、複数の斜面を有する複数の支持体を基板上に設け、基板に対向して散乱板を設け、上記支持体の各斜面にＬＥＤ素子を取り付けることにより、光束が平面的に広がり、拡散板によって配向分布が均一化されるようにしている。
【先行技術文献】
【特許文献】
【００１０】
【特許文献１】日本国公開特許公報「特開２０１２−２３１０３６号公報」
【特許文献２】国際公開公報「ＷＯ２０１２／１６４７９０号公報」
【特許文献３】日本国公開特許公報「特開２０１２−１７４６２５号公報」
【発明の概要】
【発明が解決しようとする課題】
【００１１】
ところが、特許文献１に記載の構成では、照明装置が複数のＬＥＤを有する場合に、波長変換部材にて各ＬＥＤを個別に覆っているため、照明装置を製造する場合の製造工数が増加し、かつ部品コストが上昇するので、照明装置のコストアップを招来する。【００１２】
また、特許文献２に記載の構成では、照明装置が複数のＬＥＤを有する場合に、各ＬＥＤを個別にレンズにて覆っているため、同様に、照明装置を製造する場合の製造工数が増加し、かつ部品コストが上昇するので、照明装置のコストアップを招来する。また、レンズとＬＥＤとの組み合わせの１組１組が個別に点光源となるため、照明装置を直視した場合に非常に眩しくなる。【００１３】
また、特許文献３に記載の構成では、複数の支持体の各斜面にＬＥＤ素子を取り付けているため、同様に、照明装置を製造する場合の製造工数が増加し、かつ部品コストが上昇するので、照明装置のコストアップを招来する。【００１４】
したがって、本発明の一態様は、ＬＥＤを使用して良好な配光特性を有し、かつ低コストの照明装置、看板、ショーケースおよび防犯灯の提供を目的とする。
【課題を解決するための手段】
【００１５】
上記の課題を解決するために、本発明の一態様に係る照明装置は、光源であるＬＥＤ、および前記ＬＥＤを覆う光源カバーを有する発光部を備えている照明装置において、前記発光部は、前記光源カバーの表面から出射する光束の、前記ＬＥＤの配光が最も強い方向である前方向と前記前方向と直交する横方向との比である横／縦が１以上であり、前記発光部における前記前方向とは反対側の面に設けられ、前記発光部から前記発光部の後方向へ出射する光を反射する反射部材を備えている。
【発明の効果】
【００１６】
本発明の一態様によれば、簡単な構成により、光源にＬＥＤを使用して良好な配光特性を有し、かつ低コストにて照明装置を製造することができる。
【図面の簡単な説明】
【００１７】
【図１】本発明の実施形態の照明装置の構成を示す縦断面である。
【図２】図２の（ａ）は、図１に示した照明装置において、反射板が無い状態の発光部の配光状態を示す説明図、図２の（ｂ）は、図２の（ａ）に示した発光部の配光特性を示すグラフである。
【図３】図３の（ａ）は、図１に示した照明装置の配光状態を示す説明図、図３の（ｂ）は、図１に示した照明装置の配光特性を示すグラフである。
【図４】図１に示した照明装置の構成を備え、複数のＬＥＤを基板上に設けたＬＥＤ基板を有する照明装置の構成を示す分解斜視図である。
【図５】図５の（ａ）は、図４に示したＬＥＤ基板を光源カバーにて覆った状態の発光部および反射板の斜視図、図５の（ｂ）は、図５の（ａ）に示した発光部および反射板の縦断面図、図５の（ｃ）は、上記発光部の背面に反射板を取り付けた状態の照明装置を示す斜視図、図５の（ｄ）は、図５の（ｃ）に示した照明装置の縦断面図である。
【図６】図６の（ａ）は、図５に示した照明装置のＬＥＤ基板が光源カバーにて覆われず、かつ反射板がない状態において、ＬＥＤから出射した光の反射光が目へ入射する場合の説明図、図６の（ｂ）は、図５に示した照明装置の発光部から出射した光の反射光が目へ入射する場合の説明図である。
【図７】図７の（ａ）は、本発明の他の実施形態の照明装置の構成および配光状態を示す説明図、図７の（ｂ）は、図７の（ａ）に示した照明装置の配光特性を示すグラフである。
【図８】図７の（ａ）に示した照明装置の構成を備え、複数のＬＥＤを基板上に設けたＬＥＤ基板を有する照明装置の構成を示す分解斜視図である。
【図９】図９の（ａ）は、図８に示したＬＥＤ基板を光源カバーにて覆った状態の発光部および反射板の斜視図、図９の（ｂ）は、図９の（ａ）に示した発光部の背面に反射板を取り付けた状態の照明装置を示す斜視図、図９の（ｃ）は、図９の（ｂ）に示した照明装置の縦断面図である。
【図１０】図１０の（ａ）は、本発明のさらに他の実施形態における、図９に示した照明装置を内部に備えた看板の斜視図、図１０の（ｂ）は図１０の（ａ）に示した看板における照明装置の取り付け状態を示す縦断面図、図１０の（ｃ）は図１０の（ａ）に示した看板における照度分布図である。
【図１１】図１０に示した看板の背面板および上面板に垂直な方向の縦断面における照明装置による配光状態を示す説明図である。
【図１２】図１２の（ａ）は、図１０に示した看板に対する比較例にかかる看板の構成を示す斜視図、図１２の（ｂ）は図１２の（ａ）に示した看板における光源部の取り付け状態を示す縦断面図、図１２の（ｃ）は図１２の（ａ）に示した看板における照度分布図である。
【図１３】図１２の（ａ）に示した看板の背面板および上面板に垂直な方向の縦断面における光源部による配光状態を示す説明図である。
【図１４】図１３に示した光源部を備え、図１２に示した筐体に代えて図１１に示した筐体を使用した場合の看板の背面板および上面板に垂直な方向の縦断面における光源部による配光状態を示す説明図である。
【図１５】図１５の（ａ）は、他の従来の光源部を備えた看板の背面板および上面板に垂直な方向の縦断面における光源部による配光状態を示す説明図、図１５の（ｂ）は図１５の（ａ）に示した看板における照度分布図である。
【図１６】図１６の（ａ）は、図１０に示した看板に対する比較例にかかる看板の構成を示す斜視図、図１６の（ｂ）は、図１６の（ａ）に示した看板における一つの光源部の構成を示す斜視図、図１６の（ｃ）は、図１６の（ｂ）に示した光源部の縦断面図、図１６（ｄ）は、図１６の（ｃ）に示した光源部の配光状態を示す説明図、図１６の（ｅ）は、図１６の（ｃ）に示した光源部の配光特性を示すグラフである。
【図１７】図１６の（ａ）に示した看板の背面板および上面板に垂直な方向の縦断面における照明装置による配光状態を示す説明図である。
【図１８】本発明のさらに他の実施形態における、図９に示した照明装置を内部に備えたショーケースの縦断面図である。
【図１９】図１８に示したショーケースに対する比較例にかかるショーケースの構成を示す縦断面図である。
【図２０】図１８に示したショーケースに対する他の比較例にかかるショーケースの構成を示す縦断面図である。
【図２１】本発明の他の実施形態における、図９に示した照明装置を内部に備えたリーチイン形式のショーケースの横断面図である。
【図２２】図２１に示したショーケースに対する比較例にかかるショーケースの構成を示す横断面図である。
【図２３】図２１に示したショーケースに対する他の比較例にかかるショーケースの構成を示す横断面図である。
【図２４】図２４の（ａ）は、図９に示した照明装置を使用した防犯灯を柱状部材に取り付けた状態の斜視図、図２４の（ｂ）は、図２４の（ａ）に示した防犯灯に使用する照明装置の配光状態を示す説明図、図２４の（ｃ）は、図２４の（ａ）に示した防犯灯の照度分布図である。
【図２５】図２５の（ａ）は、反射板の反射面の傾斜角が０度、反射板の反射面が鏡面、かつ発光部が３面発光である本発明の実施形態の照明装置の配光特性を示すグラフ、図２５の（ｂ）は、当該照明装置の構成を示す模式図である。
【図２６】図２６の（ａ）は、反射板の反射面の傾斜角が−１０度、反射板の反射面が鏡面、かつ発光部が３面発光である本発明の実施形態の照明装置の配光特性を示すグラフ、図２６の（ｂ）は、当該照明装置の構成を示す模式図である。
【図２７】図２７の（ａ）は、反射板の反射面の傾斜角が−２０度、反射板の反射面が鏡面、かつ発光部が３面発光である本発明の実施形態の照明装置の配光特性を示すグラフ、図２７の（ｂ）は、当該照明装置の構成を示す模式図である。
【図２８】図２８の（ａ）は、反射板の反射面の傾斜角が−３０度、反射板の反射面が鏡面、かつ発光部が３面発光である本発明の実施形態の照明装置の配光特性を示すグラフ、図２８の（ｂ）は、当該照明装置の構成を示す模式図である。
【図２９】図２９の（ａ）は、反射板の反射面の傾斜角が＋１０度、反射板の反射面が鏡面、かつ発光部が３面発光である本発明の実施形態の照明装置の配光特性を示すグラフ、図２９の（ｂ）は、当該照明装置の構成を示す模式図である。
【図３０】図３０の（ａ）は、反射板の反射面の傾斜角が＋２０度、反射板の反射面が鏡面、かつ発光部が３面発光である本発明の実施形態の照明装置の配光特性を示すグラフ、図３０の（ｂ）は、当該照明装置の構成を示す模式図である。
【図３１】図３１の（ａ）は、反射板の反射面の傾斜角が０度、反射板の反射面が乳白色面、かつ発光部が３面発光である本発明の実施形態の照明装置の配光特性を示すグラフ、図３１の（ｂ）は、当該照明装置の構成を示す模式図である。
【図３２】図３２（ａ）は、反射板の反射面の傾斜角が−１０度、反射板の反射面が乳白色面、かつ発光部が３面発光である本発明の実施形態の照明装置の配光特性を示すグラフ、図３２の（ｂ）は、当該照明装置の構成を示す模式図である。
【図３３】図３３の（ａ）は、反射板の反射面の傾斜角が−２０度、反射板の反射面が乳白色面、かつ発光部が３面発光である本発明の実施形態の照明装置の配光特性を示すグラフ、図３３の（ｂ）は、当該照明装置の構成を示す模式図である。
【図３４】図３４の（ａ）は、反射板の反射面の傾斜角が−３０度、反射板の反射面が乳白色面、かつ発光部が３面発光である本発明の実施形態の照明装置の配光特性を示すグラフ、図３４の（ｂ）は、当該照明装置の構成を示す模式図である。
【図３５】図３５の（ａ）は、反射板の反射面の傾斜角が＋１０度、反射板の反射面が乳白色面、かつ発光部が３面発光である本発明の実施形態の照明装置の配光特性を示すグラフ、図３５の（ｂ）は、当該照明装置の構成を示す模式図である。
【図３６】図３６の（ａ）は、反射板の反射面の傾斜角が＋２０度、反射板の反射面が乳白色面、かつ発光部が３面発光である本発明の実施形態の照明装置の配光特性を示すグラフ、図３６の（ｂ）は、当該照明装置の構成を示す模式図である。
【図３７】図３７の（ａ）は、反射板の反射面の傾斜角が０度、反射板の反射面が乳白色面、かつ発光部が２面発光である本発明の実施形態の照明装置の配光特性を示すグラフ、図３７の（ｂ）は、当該照明装置の構成を示す模式図である。
【図３８】図３８の（ａ）は、反射板の反射面の傾斜角が−１０度、反射板の反射面が乳白色面、かつ発光部が２面発光である本発明の実施形態の照明装置の配光特性を示すグラフ、図３８の（ｂ）は、当該照明装置の構成を示す模式図である。
【図３９】図３９の（ａ）は、反射板の反射面の傾斜角が−２０度、反射板の反射面が乳白色面、かつ発光部が２面発光である本発明の実施形態の照明装置の配光特性を示すグラフ、図３９の（ｂ）は、当該照明装置の構成を示す模式図である。
【図４０】図４０の（ａ）は、反射板の反射面の傾斜角が−３０度、反射板の反射面が乳白色面、かつ発光部が２面発光である本発明の実施形態の照明装置の配光特性を示すグラフ、図４０の（ｂ）は、当該照明装置の構成を示す模式図である。
【図４１】図４１の（ａ）は、反射板の反射面の傾斜角が＋１０度、反射板の反射面が乳白色面、かつ発光部が２面発光である本発明の実施形態の照明装置の配光特性を示すグラフ、図４１の（ｂ）は、当該照明装置の構成を示す模式図である。
【図４２】図４２の（ａ）は、反射板の反射面の傾斜角が＋２０度、反射板の反射面が乳白色面、かつ発光部が２面発光である本発明の実施形態の照明装置の配光特性を示すグラフ、図４２の（ｂ）は、当該照明装置の構成を示す模式図である。
【図４３】図４３の（ａ）は、反射板の反射面の傾斜角が０度、反射板の反射面が鏡面、かつ光源カバーが山形形状であり発光部が２面発光である本発明の実施形態の照明装置の配光特性を示すグラフ、図４３の（ｂ）は、当該照明装置の構成を示す模式図である。
【図４４】図４４の（ａ）は、反射板の反射面の傾斜角が−１０度、反射板の反射面が鏡面、かつ光源カバーが山形形状であり発光部が２面発光である本発明の実施形態の照明装置の配光特性を示すグラフ、図４４の（ｂ）は、当該照明装置の構成を示す模式図である。
【図４５】図４５の（ａ）は、反射板の反射面の傾斜角が−２０度、反射板の反射面が鏡面、かつ光源カバーが山形形状であり発光部が２面発光である本発明の実施形態の照明装置の配光特性を示すグラフ、図４５の（ｂ）は、当該照明装置の構成を示す模式図である。
【図４６】図４６の（ａ）は、反射板の反射面の傾斜角が−３０度、反射板の反射面が鏡面、かつ光源カバーが山形形状であり発光部が２面発光である本発明の実施形態の照明装置の配光特性を示すグラフ、図４６の（ｂ）は、当該照明装置の構成を示す模式図である。
【図４７】図４７の（ａ）は、反射板の反射面の傾斜角が＋１０度、反射板の反射面が鏡面、かつ光源カバーが山形形状であり発光部が２面発光である本発明の実施形態の照明装置の配光特性を示すグラフ、図４７の（ｂ）は、当該照明装置の構成を示す模式図である。
【図４８】図４８の（ａ）は、反射板の反射面の傾斜角が＋２０度、反射板の反射面が鏡面、かつ光源カバーが山形形状であり発光部が２面発光である本発明の実施形態の照明装置の配光特性を示すグラフ、図４８の（ｂ）は、当該照明装置の構成を示す模式図である。
【図４９】図４９の（ａ）は、反射板の反射面の傾斜角が０度、反射板の反射面が乳白色面、かつ光源カバーが山形形状であり発光部が２面発光である本発明の実施形態の照明装置の配光特性を示すグラフ、図４３の（ｂ）は、当該照明装置の構成を示す模式図である。
【図５０】図５０の（ａ）は、反射板の反射面の傾斜角が−１０度、反射板の反射面が乳白色面、かつ光源カバーが山形形状であり発光部が２面発光である本発明の実施形態の照明装置の配光特性を示すグラフ、図５０の（ｂ）は、当該照明装置の構成を示す模式図である。
【図５１】図５１の（ａ）は、反射板の反射面の傾斜角が−２０度、反射板の反射面が乳白色面、かつ光源カバーが山形形状であり発光部が２面発光である本発明の実施形態の照明装置の配光特性を示すグラフ、図５１の（ｂ）は、当該照明装置の構成を示す模式図である。
【図５２】図５２の（ａ）は、反射板の反射面の傾斜角が−３０度、反射板の反射面が乳白色面、かつ光源カバーが山形形状であり発光部が２面発光である本発明の実施形態の照明装置の配光特性を示すグラフ、図５２の（ｂ）は、当該照明装置の構成を示す模式図である。
【図５３】図５３の（ａ）は、反射板の反射面の傾斜角が＋１０度、反射板の反射面が乳白色面、かつ光源カバーが山形形状であり発光部が２面発光である本発明の実施形態の照明装置の配光特性を示すグラフ、図５３の（ｂ）は、当該照明装置の構成を示す模式図である。
【図５４】図５４の（ａ）は、反射板の反射面の傾斜角が＋２０度、反射板の反射面が乳白色面、かつ光源カバーが山形形状であり発光部が２面発光である本発明の実施形態の照明装置の配光特性を示すグラフ、図５４の（ｂ）は、当該照明装置の構成を示す模式図である。
【図５５】図５５の（ａ）は、反射板の反射面の傾斜角が例えば−１０度、反射板の反射面が乳白色面、かつ発光部が３面発光である本発明の実施形態の照明装置の配光状態を示す説明図、図５５の（ｂ）は、図５５の（ａ）に示した照明装置の配光特性を示すグラフである。
【図５６】図５６の（ａ）は、反射板の反射面の傾斜角が−２０度、反射板の反射面が乳白色面、かつ発光部が３面発光である本発明の実施形態の照明装置の構成を示す模式図、図５６の（ｂ）は、図５６の（ａ）に示した照明装置の配光状態を示す説明図、図５６の（ｃ）は、図５６の（ａ）に示した照明装置の配光特性を示すグラフである。
【図５７】図５７の（ａ）は、本発明のさらに他の実施形態の照明装置の配光状態を示す説明図、図５７の（ｂ）は、図５７の（ａ）に示した照明装置の配光特性を示すグラフである。
【図５８】図５７に示した照明装置を備えたショーケースの縦断面図である。
【図５９】図５９の（ａ）は、例えば図５に示した照明装置の発光部から出射される縦横の光束の関係を示す説明図、図５９の（ｂ）は、上記光束の関係を配光特性によって示す説明図である。
【図６０】本発明の実施形態の照明装置に使用可能な反射板および発光部の変形例を示す模式図である。
【図６１】ＬＥＤ基板の配光状態を示す説明図である。
【図６２】図６１に示したＬＥＤ基板を例えば乳白色の管状あるいは球状の光源カバーにて覆って形成した従来の光源部の配光状態を示す説明図である。
【発明を実施するための形態】
【００１８】
〔実施形態１〕
本発明の実施形態を図面に基づいて以下に説明する。図１は、本実施形態の照明装置の構成を示す縦断面である。
【００１９】
（照明装置１の構成）
図１に示すように、本実施形態の照明装置１は、発光部１１および反射板１２を備えている。発光部１１は、光源であるＬＥＤ２１、ＬＥＤ２１を取り付ける基板２２、ＬＥＤ２１を覆う光源カバー２３を含んでいる。
【００２０】
光源カバー２３は、例えば乳白色であり、ＬＥＤ２１の前方向（ＬＥＤ２１の配光が最も強い方向）に長い長方形を有する。したがって、発光部１１は、前面および左右面が発光する三面発光となっている。光源カバー２３の材質は、例えばテイジン(株)製のMKL-3500ZALである。この材質は、他の実施形態の光源カバーの材質についても同様である。
【００２１】
反射板１２は、ＬＥＤ２１すなわち基板２２の背面に設けられ、発光部１１の側面から発光部１１の後方へ向う光を反射する。したがって、反射板１２の表面は、鏡面が望ましいものの、乳白色であってもよい。本実施形態において、反射板１２は平板形状であり、反射板１２の反射面は、ＬＥＤ２１側の面である前面が、ＬＥＤ２１の前後方向（ＬＥＤ２１の配光が最も強い方向）に対して垂直となっている。
【００２２】
（照明装置１の動作）
図２の（ａ）は、図１に示した照明装置１において、反射板１２が無い状態の発光部１１の配光状態を示す説明図、図２の（ｂ）は、図２の（ａ）に示した発光部１１の配光特性を示すグラフである。図３の（ａ）は、図１に示した照明装置１の配光状態を示す説明図、図３の（ｂ）は、図１に示した照明装置１の配光特性を示すグラフである。
【００２３】
図２の（ａ）に示すように、発光部１１は、ＬＥＤ２１を光源カバー２３にて覆っていることにより、光源カバー２３からＬＥＤ２１の前方向に出射される光束よりもＬＥＤ２１の横方向に出射される光束の方が大きくなる。これにより、発光部１１の配光特性は、図２の（ｂ）に示すように、相対的に、ＬＥＤ２１の前方向の配光よりも横方向の配光が強いものの、斜め前方向の配光があまり強くなく、かつ後方向にも配光が存在する。
【００２４】
一方、照明装置１では、反射板１２を備えていることにより、図３の（ａ）に示すように、発光部１１の後方向へ向う光が反射板１２によって反射される。これにより、照明装置１の配光特性は、図３の（ｂ）に示すように、相対的に、ＬＥＤ２１の前方向の配光よりも横方向の配光が強く、かつ斜め前方向の配光が最も強くなっている。
【００２５】
（複数のＬＥＤを有する照明装置３１）
次に、照明装置１の構成を備え、複数のＬＥＤ２１を有する照明装置３１について説明する。図４は、照明装置１の構成を備え、複数のＬＥＤ２１を基板２２上に設けたＬＥＤ基板２４を有する照明装置３１の構成を示す分解斜視図である。図５の（ａ）は、図４に示したＬＥＤ基板２４を光源カバー２３にて覆った状態の発光部１１および反射板１２の斜視図、図５の（ｂ）は、図５の（ａ）に示した発光部１１および反射板１２の縦断面図、図５の（ｃ）は、発光部１１の背面に反射板１２を取り付けた状態の照明装置３１を示す斜視図、図５の（ｄ）は、図５の（ｃ）に示した照明装置３１の縦断面図である。
【００２６】
照明装置３１は、図４および図５に示すように、多数のＬＥＤ２１が細長い基板２２に一列に設けられたＬＥＤ基板２４を備えている。発光部１１は、ＬＥＤ基板２４を縦断面が長方形の光源カバー２３にて覆うことにより形成され、反射板１２の一面（反射面）に固定されている。
【００２７】
（照明装置１，３１の利点）
上記のように、照明装置１，３１は、相対的に、ＬＥＤ２１の前方向の配光よりも横方向の配光が強く、かつ斜め前方向の配光が最も強くなっている。これにより、照明装置１，３１を例えば看板内やショーケースに配置した場合に、配光特性から、広い領域を照らすこと、かつ照度ムラが少ない状態にて照らすことができ、光源の粒々感がない、もしくは少ないため、グレアおよび光ムラが生じ難く、良好な照明が可能となる。また、照明装置１，３１は、発光部１１に反射板１２を取り付けた簡単な構成であるから、簡単に製造でき、かつ低コストの構成とすることができる。
【００２８】
また、照明装置１，３１は、ＬＥＤ２１が光源カバー２３にて覆われているので、次のような利点を有する。図６の（ａ）は、照明装置３１のＬＥＤ基板２４が光源カバー２３にて覆われず、かつ反射板４１がない状態において、ＬＥＤ２１から出射した光の反射光が目２５へ入射する場合の説明図、図６の（ｂ）は、照明装置３１の発光部１１から出射した光の反射光が目２５へ入射する場合の説明図である。
【００２９】
図６の（ａ）に示すように、例えば照明装置３１において、ＬＥＤ基板２４が光源カバー２３にて覆われていない場合、商品の外面２６はＬＥＤ２１によって部分的に強く照らされる。したがって、ＬＥＤ２１から出射した光が商品１０５の外面にて反射しユーザの目２５へ入射すると、ユーザは眩しさを感じ易く、商品の文字などが見え難い状態となる。
【００３０】
これに対し、照明装置３１の発光部１１は、ＬＥＤ基板２４が光源カバー２３にて覆われており、光源カバー２３の面にて光っている。また、後方向へ向う光が反射板１２にて反射される。これにより、図６の（ｂ）に示すように、商品の外面２６は、照明装置３１によってほぼ均一に照らされる。したがって、発光部１１から出射した光が商品１０５の外面にて反射しユーザの目２５へ入射しても、ユーザは眩しさを感じ難く、商品の文字などが見え難くならない。
【００３１】
〔実施形態２〕
本発明の他の実施形態を図面に基づいて以下に説明する。なお、説明の便宜上、上記実施形態にて説明した部材と同じ機能を有する部材については、同じ符号を付記し、その説明を繰り返さない。
【００３２】
（照明装置２の構成）
本発明の他の実施形態を図面に基づいて以下に説明する。図７の（ａ）は、本実施形態の照明装置２の構成および配光状態を示す説明図、図７の（ｂ）は、図７の（ａ）に示した照明装置２の配光特性を示すグラフである。なお、図７の（ａ）では、照明装置２の構成を縦断面にて示している。
【００３３】
本実施形態の照明装置２は、図７の（ａ）に示すように、照明装置１の反射板１２に代えて反射板４１を備えている。他の構成は、照明装置１と同様である。
【００３４】
照明装置１の反射板１２が平板形状（ＬＥＤ２１の前後方向（ＬＥＤ２１の配光が最も強い方向とその反対方向）に対して垂直）であったのに対し、照明装置２の反射板４１は、ＬＥＤ２１の前方向（ＬＥＤ２１の配光が最も強い方向）に対して垂直な方向よりも後方へ沿った形状となっている。具体的には、反射板４１は、光源カバー２３の反射板４１側の両方の端縁部と対応する位置から、後方へ折れ曲がった形状となっている。
【００３５】
これにより、照明装置２の配光特性は、図７の（ｂ）に示すように、照明装置１の場合と同様、相対的に、ＬＥＤ２１の前方向の配光よりも横方向の配光が強く、かつ斜め前方向の配光が最も強くなっている。また、斜め前方向の配光の最大強度の位置は、照明装置１の場合よりも、若干後方側（横方向）へ移動している。
【００３６】
（複数のＬＥＤを有する照明装置３２）
次に、照明装置２の構成を備え、複数のＬＥＤ２１を有する照明装置３２について説明する。図８は、照明装置２の構成を備え、複数のＬＥＤ２１を基板２２上に設けたＬＥＤ基板２４を有する照明装置３２の構成を示す分解斜視図である。図９の（ａ）は、図８に示したＬＥＤ基板２４を光源カバー２３にて覆った状態の発光部１１および反射板４１の斜視図、図９の（ｂ）は、発光部１１の背面に反射板４１を取り付けた状態の照明装置３２を示す斜視図、図９の（ｃ）は、図９の（ｂ）に示した照明装置３２の縦断面図である。
【００３７】
照明装置３２では、図８および図９に示すように、照明装置３１と同様、発光部１１は、ＬＥＤ基板２４を縦断面が長方形の光源カバー２３にて覆うことにより形成され、反射板１２の一面（反射面）に固定されている。
【００３８】
（照明装置２，３２の利点）
上記のように、照明装置２，３２は、照明装置１と同様、相対的に、ＬＥＤ２１の前方向の配光よりも横方向の配光が強く、かつ斜め前方向の配光が最も強くなっている。さらに、また、斜め前方向の配光の最大強度の位置は、照明装置１の場合よりも、若干後方側（横方向）へ移動している。
【００３９】
これにより、照明装置１，３１の場合と同様、照明装置２，３２を例えば看板内やショーケースに配置した場合に、光源の粒々感、グレアおよび光ムラが生じ難く、良好な照明が可能となる。また、照明装置２，３２は、発光部１１に反射板４１を取り付けた簡単な構成であるから、簡単に製造でき、かつ低コストの構成とすることができる。
【００４０】
〔実施形態３〕
本発明のさらに他の実施形態を図面に基づいて以下に説明する。なお、説明の便宜上、上記実施形態にて説明した部材と同じ機能を有する部材については、同じ符号を付記し、その説明を繰り返さない。
【００４１】
（看板５１の構成）
ここでは、本実施形態の照明装置を内部に備えた看板の構成例について説明する。図１０の（ａ）は、図９に示した照明装置３２を内部に備えた看板の斜視図、図１０の（ｂ）は看板５１における照明装置３２の取り付け状態を示す縦断面図、図１０の（ｃ）は図１０の（ａ）に示した看板における照度分布図（単位はルクス）である。
【００４２】
図１０の（ａ）に示すように、看板５１は、直方体の箱形状の筐体５２を有している。看板５１の上下方向は、看板５１の使用形態に応じて筐体５２の長手方向あるいは短手方向となるが、ここでは、筐体５２の短手方向として説明する。筐体５２は、前後方向の長さよりも、横方向の長さおよび上下方向の長さの方が大きい形状を有する。
【００４３】
筐体５２は、背面板５２ａ、前面板５２ｂ、上面板５２ｃ、下面板５２ｄ、右面板５２ｅおよび左面板５２ｆを有する。筐体５２の内部には、背面板５２ａの中央に、背面板５２ａの長手方向に長手方向が沿う状態にて、照明装置３２が取り付けられている。照明装置３２は、図１０の(ａ)(ｂ)に示すように、背面板５２ａにビス止めされた固定部材５３により反射板４１を背面板５２ａに押え付けた状態にて固定されている。
【００４４】
（看板５１における照明装置３２の動作および利点）
図１１は、看板５１の背面板５２ａおよび上面板５２ｃに垂直な方向の縦断面における照明装置３２による配光状態を示す説明図である。
【００４５】
図１１に示すように、照明装置３２の配光特性は、光源カバー２３の前方向（ＬＥＤ２１の前方向）の配光よりも光源カバー２３の横方向の配光が強く、かつ斜め前方向の配光が最も強くなっている。この点は図７により詳述したとおりである。したがって、看板５１が１本（１個）のみの照明装置３２を備えている場合であっても、前面板５２ｂの上部に相当する上部領域５２ｇ２は十分明るい状態となり、上面板５２ｃと前面板５２ｂとにより形成される上部角領域５２ｇ３も明るい状態となる。また、前面板５２ｂにおける照明装置３２の正面に相当する正面領域５２ｇ１は、特別に明るくなり過ぎず、明るさのムラが少ない状態となる。これにより、照明装置３２は、看板５１において、光源の粒々感、グレアおよび光ムラが少ない良好な照明が可能となる。なお、看板５１の光ムラが少ない状態は、図１０の（ｃ）に示した照度分布からも分かる。
【００４６】
また、前述したように、照明装置３２は低コストの構成である。また、看板５１に必要な照明装置３２は少ない個数（本実施形態では１個）でよく、かつ照明装置３２は簡単に筐体５２内に取り付けでき、配線数も少なくできる。これにより、看板５１を簡単かつ低コストにて製造することができる。
【００４７】
なお、本実施形態では、看板５１が照明装置３２を備えた場合について説明したが、看板５１が照明装置３１を備えた構成であってもよい。この場合であっても同様の利点を有する。この点は、以下の他の実施形態においても同様である。
【００４８】
（比較例１）
図１０に示した看板５１に対する比較例について以下に説明する。なお、説明の便宜上、上記実施形態にて説明した部材と同じ機能を有する部材については、同じ符号を付記し、その説明を繰り返さない。
【００４９】
（看板６１の構成）
図１２の（ａ）は、図１０に示した看板５１に対する比較例にかかる看板６１の構成を示す斜視図、図１２の（ｂ）は看板６１における光源部３０５の取り付け状態を示す縦断面図、図１２の（ｃ）は図１２の（ａ）に示した看板５１における照度分布図である。なお、図１２の（ｃ）は、図１０の（ａ）と同じ光束より示している。
【００５０】
図１２の（ａ）に示すように、看板６１は、筐体６２を有し、筐体６２の内部に、看板５１の照明装置３２に代えて、図６２に示した光源部３０５が取り付けられている。筐体６２は、筐体５２の背面板５２ａ、前面板５２ｂ、上面板５２ｃ、下面板５２ｄ、右面板５２ｅおよび左面板５２ｆに対応する、背面板６２ａ、前面板６２ｂ、上面板６２ｃ、下面板６２ｄ、右面板６２ｅおよび左面板６２ｆを有する。筐体６２の背面板６２ａと前面板６２ｂとの間の距離は、筐体５２の背面板５２ａと前面板５２ｂとの間の距離よりも長くなっている。筐体６２の他の寸法は筐体５２の寸法と同様である。
【００５１】
光源部３０５は、管形状の光源カバー３０４の内部に、照明装置３２と同様、ＬＥＤ基板２４を有し、看板５１の照明装置３２と同じ位置に配置されている。光源部３０５は、図１２の(ａ)(ｂ)に示すように、背面板６２ａに設けられた保持具６３により背面板６２ａに取り付けられている。
【００５２】
（看板６１，７１，８１における光源部３０５，３０６の動作）
図１３は、看板６１の背面板６２ａおよび上面板６２ｃに垂直な方向の縦断面における光源部３０５による配光状態を示す説明図である。図１４は、光源部３０５を備え、筐体６２に代えて看板５１と同じ筐体５２を使用した場合の看板７１の背面板５２ａおよび上面板５２ｃに垂直な方向の縦断面における光源部３０５による配光状態を示す説明図である。
【００５３】
光源部３０５の配光特性は、図６２に示したように、光源部３０５の中心から見て、横方向の配光よりも前方向の配光が強くなっている。したがって、図１３に示すように、看板６１の前面板６２ｂの上部に相当する上部領域６２ｇ２、および上面板６２ｃに相当する上面領域６２ｇ３は暗くなる。一方、前面板６２ｂにおける光源部３０５の正面に相当する正面領域６２ｇ１は、特別に明るくなる。このため、看板６１では、明るさのムラ（光ムラ）が多い状態となる。なお、看板６１の光ムラが多い状態は、図１２の（ｃ）に示した看板６１の照度分布を図１０の（ｃ）に示した看板５１の照度分布と比較することによっても理解できる。
【００５４】
また、図１４に示すように、光源部３０５を備え、筐体６２に代えて筐体５２を使用した看板７１では、筐体５２の背面板５２ａと前面板５２ｂとの間の距離が筐体６２の背面板６２ａと前面板６２ｂとの間の距離よりも短くなっている。したがって、上部領域５２ｇ２および上部角領域５２ｇ３が暗く、正面領域５２ｇ１が特別に明るい状態が看板６１の場合よりも顕著となる。上記の結果から、看板の照明装置として、光源部３０５を使用することは不適当である。
【００５５】
なお、図１３に示した構成において、光源部３０５に代えて他の従来の光源部３０６を備えた看板８１の配光状態は図１５の（ａ）に示すようになる。図１５の（ａ）は、他の従来の光源部３０６を備えた看板８１の背面板６２ａおよび上面板６２ｃに垂直な方向の縦断面における光源部３０６による配光状態を示す説明図、図１５の（ｂ）は図１５の（ａ）に示した看板における照度分布図である。なお、図１５の（ｂ）は、図１０の（ａ）と同じ光束により示している。光源部３０６は、光源部３０５と同様、ＬＥＤ基板２４を有する一方、ＬＥＤ基板２４を配光に影響しない透明な光源カバー３０７にて覆った構成である。
【００５６】
光源部３０６の配光特性は、図６１に示したように、ＬＥＤ３０１の配光特性と同様である。したがって、光源部３０５を備えた看板６１よりも、上部領域６２ｇ２および上面領域６２ｇ３は暗くなり、正面領域６２ｇ１は明るくなる。このため、看板８１は、看板６１よりも明るさのムラ（光ムラ）がさらに多い状態となる。なお、看板８１の光ムラがさらに多い状態は、図１５の（ｂ）に示した看板８１の照度分布を図１０の（ｃ）に示した看板５１の照度分布と比較することによっても理解できる。
【００５７】
（比較例２）
図１０に示した看板５１に対する他の比較例について以下に説明する。なお、説明の便宜上、上記実施形態にて説明した部材と同じ機能を有する部材については、同じ符号を付記し、その説明を繰り返さない。
【００５８】
（看板９１の構成）
図１６の（ａ）は、図１０に示した看板５１に対する比較例にかかる看板９１の構成を示す斜視図、図１６の（ｂ）は看板９１における一つの光源部９４の構成を示す斜視図、図１６の（ｃ）は、図１６の（ｂ）に示した光源部９４の縦断面図、図１６（ｄ）は、図１６の（ｃ）に示した光源部９４の配光状態を示す説明図、図１６の（ｅ）は、図１６の（ｃ）に示した光源部９４の配光特性を示すグラフである。
【００５９】
図１６の（ａ）に示すように、看板９１は、筐体９２を有し、筐体９２の内部に、照明装置９３が取り付けられている。筐体９２は、背面板９２ａ、前面板９２ｂ、上面板９２ｃ、下面板９２ｄ、右面板９２ｅおよび左面板９２ｆを有する。
【００６０】
照明装置９３は、多数の光源部９４を例えば直列接続した構成である。光源部９４は、図１６の（ｂ）（ｃ）に示すように、基板９５、基板９５に設けられたＬＥＤ９７およびＬＥＤ９７を覆うレンズ９６を有する。この光源部９４の構成は、特許文献２が開示する発光部の構成に相当する。
【００６１】
光源部９４は、基板９５に設けたねじ９８にて背面板９２ａに固定され、光源部９４同士は、基板９５が有するコネクタ９９およびコネクタ９９に接続した配線１００により互いに接続されている。
【００６２】
（看板９１における照明装置９３の動作）
図１７は、看板９１の背面板９２ａおよび上面板９２ｃに垂直な方向の縦断面における照明装置９３による配光状態を示す説明図である。
【００６３】
光源部９４の配光特性は、図１６の（ｄ）（ｅ）に示すように、光源部９４の中心から見て、横方向の配光が前方向の配光よりも強くなっている。したがって、図１７に示した看板９１において、照明装置９３は、明るさのムラが少ない比較的良好な照明を行うことができる。
【００６４】
しかしながら、光源部９４は、各ＬＥＤ９４を個別にレンズにて覆っているため、照明装置９３を製造する場合の製造工数が増加し、かつ部品コストが上昇する。また、看板９１に多数の光源部９４を設けた構成とした場合、各光源部９４の取り付けや光源部９４同士の電気的接続が繁雑となり、看板９１の製造に長時間を要する。このため、看板９１は高価なものになる。
【００６５】
〔実施形態４〕
本発明のさらに他の実施形態を図面に基づいて以下に説明する。なお、説明の便宜上、上記実施形態にて説明した部材と同じ機能を有する部材については、同じ符号を付記し、その説明を繰り返さない。
【００６６】
（ショーケース１０１の構成）
ここでは、本実施形態の照明装置３２を備えたショーケース１０１の構成例について説明する。図１８は、図９に示した照明装置３２を内部に備えたショーケース１０１の縦断面図である。
【００６７】
図１８に示すように、ショーケース１０１は、下から１段目の第１棚１０２、および下から２段目の第２棚１０３を有し、第２棚１０３の上方に上板部１０４を有する。第１棚１０２、第２棚１０３および上板部１０４は例えば鉄板にて形成されている。第１棚１０２および第２棚１０３の上には複数の商品１０５が配置されている。第１棚１０２、第２棚１０３および上板部１０４は、手前側（商品取出し側）の端部に、下方へ折れ曲がった下方屈曲部１０２ａ，１０３ａ，１０４ａを有している。なお、上板部１０４の下方屈曲部１０４ａのみは透光性の部材、例えば乳白色の半透明部材にて形成されているシェードなどであり、お客様に対して目立つよう明るくするべき場所である。
【００６８】
第２棚１０３の下面には、第１棚１０２上の商品１０５を照らす第１照明装置３２ａが設けられ、上板部１０４の下面には、第２棚１０３上の商品１０５を照らす第２照明装置３２ｂが設けられている。第１および第２照明装置３２ａ，３２ｂは、いずれも前述の図９に示した照明装置３２である。
【００６９】
本実施形態において、第１照明装置３２ａは、第１および第２棚１０２，１０３の幅方向を長手方向として、第２棚１０３の下面の前後方向の中央部に配置されている。第２照明装置３２ｂは、第１および第２棚１０２，１０３の幅方向を長手方向として、上板部１０４の下面の前後方向の中央部よりも、商品取出し側の位置に配置されている。
【００７０】
（ショーケース１０１における照明装置３２の動作および利点）
図１８に示すように、照明装置３２の配光特性は、前述のように、光源カバー２３の前方向（ＬＥＤ２１の前方向）の配光よりも光源カバー２３の横方向の配光が強く、かつ斜め前方向の配光が最も強くなっている。したがって、１個の第１照明装置３２ａ、すなわち少ない数の照明装置３２により、第１棚１０２上の奥の商品１０５から手前の商品１０５まで、第１棚１０２上の商品全体を明るく照らすことができる。また、１個の第２照明装置３２ｂ、すなわち少ない数の照明装置３２により、上板部１０４の下方屈曲部１０４ａおよび第２棚１０３上の商品１０５を明るく照らすことができる。これにより、ショーケース１０１を短時間かつ低コストにて製造することができる。
【００７１】
また、第１および第２照明装置３２ａ，３２ｂによって照らされる商品１０５は明るさのムラが生じがたく、かつショーケース１０１の一部のみが極端に明るくなるようなギラギラ感が生じ難くなっている。
【００７２】
（比較例３）
図１８に示したショーケース１０１に対する比較例について以下に説明する。なお、説明の便宜上、上記実施形態にて説明した部材と同じ機能を有する部材については、同じ符号を付記し、その説明を繰り返さない。
【００７３】
（ショーケース１１１の構成）
図１９は、図１８に示したショーケース１０１に対する比較例にかかるショーケース１１１の構成を示す縦断面図である。
【００７４】
図１９に示すように、ショーケース１１１は、第２棚１０３の下面に、第１棚１０２上の商品１０５を照らす第１光源部３０６ａが設けられ、上板部１０４の下に、上板部１０４の下方屈曲部１０４ａをショーケース１１１の内側から照らす第２光源部３０６ｂが設けられている。第１光源部３０６ａは、第１および第２棚１０２，１０３の幅方向を長手方向として、上板部１０４の下面の前後方向の中央部よりも、手前側（商品取出し側）の位置に配置されている。第２光源部３０６ｂは、第１および第２棚１０２，１０３の幅方向を長手方向として、上板部１０４の下かつ下方屈曲部１０４ａと対向する位置であって、上板部１０４の下面の前後方向の中央部よりも、手前側（商品取出し側）の位置に配置されている。第１および第２光源部３０６ａ，３０６ｂは、いずれも前述の図１５に示した光源部３０６である。
【００７５】
（ショーケース１１１における光源部３０６の動作）
第１および第２光源部３０６ａ，３０６ｂは、前述のように、相対的に横方向の配光よりも前方向の配光の方が大きい配光特性を有する。第１光源部３０６ａは、第１棚１０２上の手前側（商品取出し側）の商品１０５のみを照らし、奥の商品１０５を明るく照らさない。また、第２光源部３０６ｂは、上板部１０４の下方屈曲部１０４ａのみを明るく照らし、第２棚１０３の奥の商品１０５をほとんど照らさない。このような問題点は、光源部３０６に代えて光源部３０５を使用した場合も同様である。また、この点は、照明装置として光源部３０６を使用する以下の他の比較例においても同様である。
【００７６】
（比較例４）
図１８に示したショーケース１０１に対する他の比較例について以下に説明する。なお、説明の便宜上、上記実施形態にて説明した部材と同じ機能を有する部材については、同じ符号を付記し、その説明を繰り返さない。
【００７７】
（ショーケース１２１の構成）
図２０は、図１８に示したショーケース１０１に対する他の比較例にかかるショーケース１２１の構成を示す縦断面図である。ショーケース１２１は、ショーケース１１１よりも光源部３０６を増やした構成である。
【００７８】
図２０に示すように、ショーケース１２１は、第２棚１０３の下面に、第１光源部３０６ａに加えて第３光源部３０６ｃが設けられ、上板部１０４の下に、第２光源部３０６ｂに加えて第４光源部３０６ｄが設けられている。
【００７９】
第３光源部３０６ｃは、第１および第２棚１０２，１０３の幅方向を長手方向として、第２棚１０３の下面の前後方向の中央部よりも奥側に配置されている。第４光源部３０６ｄは、第１および第２棚１０２，１０３の幅方向を長手方向として、上板部１０４の下面の前後方向の中央部に配置されている。
【００８０】
（ショーケース１２１における光源部３０６の動作）
ショーケース１２１では、第２棚１０３の下面に、第１光源部３０６ａおよび第３光源部３０６ｃを設けることにより、第１棚１０２上の手前側（商品取出し側）および奥側の商品１０５を照らすことができる。また、上板部１０４の下に、第２光源部３０６ｂおよび第４光源部３０６ｄを設けることにより、上板部１０４の下方屈曲部１０４ａおよび第２棚１０３上の商品１０５を照らすことができる。但し、ショーケース１２１は、第４光源部３０６ｄが照らす状態では、第２棚１０３上の前後方向の中央部と手前側および奥側とで明るさが不均一となる。また、ショーケース１２１は、多数の光源部３０６が必要となり、製造に長時間を要し、かつコストアップとなる。
【００８１】
〔実施形態５〕
本発明のさらに他の実施形態を図面に基づいて以下に説明する。なお、説明の便宜上、上記実施形態にて説明した部材と同じ機能を有する部材については、同じ符号を付記し、その説明を繰り返さない。
【００８２】
（ショーケース１３１の構成）
ここでは、本実施形態の照明装置３２を備えたリーチイン形式のショーケース１３１の構成例について説明する。図２１は、図９に示した照明装置３２を内部に備えたリーチイン形式のショーケース１３１の横断面図である。
【００８３】
図２１に示すように、ショーケース１３１は、前面に４枚のドア１３２ａ〜１３２ｄを有している。向って左側の２枚のドア１３２ａ，１３２ｂと、向って右側の２枚のドア１３２ｃ，１３２ｄとは、それぞれ観音開きにより外側へ開くようになっている。４枚のドア１３２ａ〜１３２ｄのうち、外側の２枚のドア１３２ａ，１３２ｄは、端縁部に設けられたヒンジ（図示せず）により、ショーケース１３１の前面の左右の端縁部に連結され、内側の２枚のドア１３２ｂ，１３２ｃは、端縁部に設けられたヒンジ（図示せず）により、ショーケース１３１の前面の中央に設けられた前面柱部１３３に連結されている。ショーケース１３１は、ペットボトルあるいは管飲料などの多数の商品１３４を内部に収容している。
【００８４】
前面柱部１３３の内面には、前述の図９に示した照明装置３２が長手方向を上下方向として設けられている。
【００８５】
（ショーケース１３１における照明装置３２の動作および利点）
図２１に示すように、照明装置３２の配光特性は、前述のように、光源カバー２３の前方向（ＬＥＤ２１の前方向）の配光よりも光源カバー２３の横方向の配光が強く、かつ斜め前方向の配光が最も強くなっている。したがって、１個の照明装置３２、すなわち少ない数の照明装置３２により、ショーケース１３１内の最前列の横方向に並ぶ商品１３４全体を効率よく照らすことができる。この場合には、商品１３４ごとの明るさのムラやギラギラ感が生じ難くなっている。
【００８６】
また、ショーケース１３１には、１個の照明装置３２、すなわち少ない数の照明装置３２を取り付ければよいので、ショーケース１３１を短時間かつ低コストにて製造することができる。
【００８７】
（比較例５）
図２１に示したショーケース１３１に対する比較例について以下に説明する。なお、説明の便宜上、上記実施形態にて説明した部材と同じ機能を有する部材については、同じ符号を付記し、その説明を繰り返さない。
【００８８】
（ショーケース１４１の構成）
図２２は、図２１に示したショーケース１３１に対する比較例にかかるショーケース１４１の構成を示す横断面図である。
【００８９】
図２２に示すように、ショーケース１４１は、照明装置として、図２１に示した照明装置３２に代えて図１５に示した光源部３０６を備えている。光源部３０６は、ショーケース１３１と同様、前面柱部１３３の内面に長手方向を上下方向として設けられている。ショーケース１４１の他の構成は、ショーケース１３１と同様である。
【００９０】
（ショーケース１４１における光源部３０６の動作）
図２２に示すように、光源部３０６は、相対的に横方向の配光よりも前方向の配光の方が大きい配光特性を有する。したがって、光源部３０６は、ショーケース１４１内の最前列の商品１３４のうち、中央部の商品１３４のみを強く照らし、中央部以外の商品１３４を明るく照らさない。このため、最前列の商品１３４は、中央部付近の商品１３４のみが明るく、かつ眩しく照らされ、それ以外の商品が暗くなる。
【００９１】
（比較例６）
図２１に示したショーケース１３１に対する他の比較例について以下に説明する。なお、説明の便宜上、上記実施形態にて説明した部材と同じ機能を有する部材については、同じ符号を付記し、その説明を繰り返さない。
【００９２】
（ショーケース１４１の構成）
図２３は、図２１に示したショーケース１３１に対する比較例にかかるショーケース１５１の構成を示す横断面図である。
【００９３】
図２３に示すように、ショーケース１５１は、照明装置として、図２１に示した照明装置３２に代えて図１５に示した光源部３０６を２個備えている。２個の光源部３０６は、ショーケース１３１と同様、前面柱部１３３の内面に長手方向を上下方向として設けられている。２個の光源部３０６のうちの１個は、配光の最も強い方向が斜め左前方向を向くように配置され、他の１個は、配光の最も強い方向が斜め右前方向を向くように配置されている。ショーケース１５１の他の構成は、ショーケース１３１と同様である。
【００９４】
（ショーケース１５１における２個の光源部３０６の動作）
図２３に示すように、２個の光源部３０６は、それぞれ斜め左前方向および斜め右前方向を照らす。ショーケース１５１内の最前列の商品１３４は、全体的に明るく照らされる。しかしながら、ショーケース１５１では、２個の光源部３０６が必要であるから、ショーケース１５１を製造する場合の製造工数が増加して製造時間が長くなり、かつ部品コストが上昇する。また、前面柱部１３３の内面には、２個の光源部３０６を適当な間隔を置いて配置するので、ショーケース１５１の外側から光源部３０６が見え易くなる。このため、ショーケース１５１の商品１３４を選ぶ場合などにおいて、ユーザが眩しさを感じることになる。
【００９５】
〔実施形態６〕
本発明のさらに他の実施形態を図面に基づいて以下に説明する。なお、説明の便宜上、上記実施形態にて説明した部材と同じ機能を有する部材については、同じ符号を付記し、その説明を繰り返さない。
【００９６】
（防犯灯１７１の構成）
ここでは、本実施形態の照明装置３２を使用した防犯灯１７１の構成例について説明する。図２４の（ａ）は、図９に示した照明装置３２を使用した防犯灯１７１を柱状部材１７２に取り付けた状態の斜視図、図２４の（ｂ）は、防犯灯１７１に使用する照明装置３２の配光状態を示す説明図、図２４の（ｃ）は、防犯灯１７１の照度分布図である。
【００９７】
照明装置３２を使用した防犯灯１７１は、発光部１１を下方に向けて柱状部材１７２の上部に取り付けられている。本実施形態において、防犯灯１７１すなわち照明装置３２は、高さ４．５ｍの位置に、水平方向に対して３０度傾けた状態（ＬＥＤ２１の配光が最も強い方向が鉛直方向に対して３０度傾斜した状態）にて、柱状部材１７２に取り付けられている。照明装置３２は、ゴミ、埃、虫等の付着を防止するため、透明なカバーにて覆われていてもよい。
【００９８】
（防犯灯１７１における照明装置３２の動作および利点）
防犯灯１７１は、１０Ｗ程度の消費電力にて、現状で十分実現可能な光束１５００ｌｍであり、この場合に図２４の（ｃ）に示す照度分布を有する。
【００９９】
ここで、図９の（ａ）に示したＬＥＤ基板２４を光源カバー２３および反射板４１を取り付けない状態にて防犯灯として使用した場合、防犯灯からの光が目に入った人は、個々のＬＥＤ２１からの光によってギラギラを受け、グレアが生じる。
【０１００】
これに対し、照明装置３２を使用する防犯灯１７１では、ＬＥＤ基板２４を光源カバー２３で覆った発光部１１が発光し、反射板４１によって発光部１１からの後方向の光が反射されるので、防犯灯１７１からの光が人の目に入った場合であっても、人はギラギラを受けず、かつグレアが生じ難い。
【０１０１】
〔実施形態７〕
本発明のさらに他の実施形態を図面に基づいて以下に説明する。なお、説明の便宜上、上記実施形態にて説明した部材と同じ機能を有する部材については、同じ符号を付記し、その説明を繰り返さない。
【０１０２】
ここでは、前述した、反射板１２（反射面の傾斜角が０度）を有し、反射板１２の反射面が鏡面１２ａ、かつ発光部１１が３面発光である照明装置３１の配光特性と、反射板４１（傾斜角有り）を有し、反射板４１の反射面が鏡面４１ａ、かつ発光部１１が３面発光である照明装置３２との配光特性について説明する。
【０１０３】
図２５の（ａ）は、反射面の傾斜角が０度、反射板１２の反射面が鏡面１２ａ、かつ発光部１１が３面発光である照明装置３１の配光特性を示すグラフ、図２５の（ｂ）は、当該照明装置３１の構成を示す模式図である。
【０１０４】
図２５の（ｂ）に示す照明装置３１は、光源カバー２３の前面および左右の側面が発光する３面発光となっている。反射板１２の反射面は、ＬＥＤ２１の配光が最も強い方向に対して垂直（配光が最も強い方向に対する角度が９０度）となっている。
【０１０５】
図２６の（ａ）は、反射板４１の反射面の傾斜角が−１０度（ＬＥＤ２１の配光が最も強い方向に対する角度が１００度）、反射板４１の反射面が鏡面４１ａ、かつ発光部１１が３面発光である照明装置３２の配光特性を示すグラフ、図２６の（ｂ）は、当該照明装置３２の構成を示す模式図である。
【０１０６】
反射板４１の反射面の傾斜角が−（マイナス）であるとは、反射板４１が反射板１２の状態よりも後方向へ沿った状態である。具体的には、反射板４１は、前述したように、光源カバー２３の反射板４１側の両方の端縁部と対応する位置から、後方へ折れ曲がった形状となっている。この点は、以下に示す他の照明装置においても同様である。
【０１０７】
図２７の（ａ）は、反射板４１の反射面の傾斜角が−２０度（ＬＥＤ２１の配光が最も強い方向に対する角度が１１０度）、反射板４１の反射面が鏡面４１ａ、かつ発光部１１が３面発光である照明装置３２の配光特性を示すグラフ、図２７の（ｂ）は、当該照明装置３２の構成を示す模式図である。
【０１０８】
図２８の（ａ）は、反射板４１の反射面の傾斜角が−３０度（ＬＥＤ２１の配光が最も強い方向に対する角度が１２０度）、反射板４１の反射面が鏡面４１ａ、かつ発光部１１が３面発光である照明装置３２の配光特性を示すグラフ、図２８の（ｂ）は、当該照明装置３２の構成を示す模式図である。
【０１０９】
図２９の（ａ）は、反射板４１の反射面の傾斜角が＋１０度（ＬＥＤ２１の配光が最も強い方向に対する角度が８０度）、反射板４１の反射面が鏡面４１ａ、かつ発光部１１が３面発光である照明装置３２の配光特性を示すグラフ、図２９の（ｂ）は、当該照明装置３２の構成を示す模式図である。
【０１１０】
反射板４１の反射面の傾斜角が＋（マイナス）であるとは、反射板４１が反射板１２の状態よりも前方向へ傾斜した沿った状態である。具体的には、反射板４１は、前述したように、光源カバー２３の反射板４１側の両方の端縁部と対応する位置から、前方向へ折れ曲がった形状となっている。この点は、以下に示す他の照明装置においても同様である。
【０１１１】
図３０の（ａ）は、反射板４１の反射面の傾斜角が＋２０度（ＬＥＤ２１の配光が最も強い方向に対する角度が７０度）、反射板４１の反射面が鏡面４１ａ、かつ発光部１１が３面発光である照明装置３２の配光特性を示すグラフ、図３０の（ｂ）は、当該照明装置３２の構成を示す模式図である。
【０１１２】
以上に示した照明装置３１，３２の配光分布から判断して反射板（反射板１２，４１）の角度は、＋２０度から−３０度（ＬＥＤ２１の配光が最も強い方向に対する角度が７０度〜１２０度）の範囲であれば、従来の照明装置よりも好ましい配光状態を得られる。ただし、反射板（反射板１２，４１）の角度は、０度（０度を含む）から−３０度の範囲（ＬＥＤ２１の配光が最も強い方向に対する角度が９０度〜１２０度）であるのがより好ましい。さらに、反射板（反射板１２，４１）の角度は、０度（０度を含まず）から−３０度（ＬＥＤ２１の配光が最も強い方向に対する角度が９０度よりも大きく１２０度以下）の範囲であるのがより好ましい。
【０１１３】
また、反射板４１の反射面の傾斜角度を＋２０度から漸次−３０度へ変更していくと、前方向の配光の強さに対する横方向の配光の強さが漸次大きくなっていく。この点は、以下の他の実施形態においても同様である。
【０１１４】
また、反射板４１の反射面が＋側へ傾斜している場合であっても、傾斜角度＋２０度迄の範囲であれば、従来の照明装置よりも良好な配光特性を得られる。
【０１１５】
〔実施形態８〕
本発明のさらに他の実施形態を図面に基づいて以下に説明する。なお、説明の便宜上、上記実施形態にて説明した部材と同じ機能を有する部材については、同じ符号を付記し、その説明を繰り返さない。
【０１１６】
ここでは、前述した、反射板１２（反射面の傾斜角が０度）を有し、反射板１２の反射面が乳白色面１２ｂ、かつ発光部１１が３面発光である照明装置３１の配光特性と、反射板４１（傾斜角有り）を有し、反射板４１の反射面が乳白色面４１ｂ、かつ発光部１１が３面発光である照明装置３２との配光特性について説明する。
【０１１７】
図３１の（ａ）は、傾斜角が０度（配光が最も強い方向に対する角度が９０度）、反射板１２の反射面が乳白色面１２ｂ、かつ発光部１１が３面発光である照明装置３１の配光特性を示すグラフ、図３１の（ｂ）は、当該照明装置３１の構成を示す模式図である。
【０１１８】
図３２の（ａ）は、反射板４１の反射面の傾斜角が−１０度（ＬＥＤ２１の配光が最も強い方向に対する角度が１００度）、反射板４１の反射面が乳白色面４１ｂ、かつ発光部１１が３面発光である照明装置３２の配光特性を示すグラフ、図３２の（ｂ）は、当該照明装置３２の構成を示す模式図である。
【０１１９】
図３３の（ａ）は、反射板４１の反射面の傾斜角が−２０度（ＬＥＤ２１の配光が最も強い方向に対する角度が１１０度）、反射板４１の反射面が乳白色面４１ｂ、かつ発光部１１が３面発光である照明装置３２の配光特性を示すグラフ、図３３の（ｂ）は、当該照明装置３２の構成を示す模式図である。
【０１２０】
図３４の（ａ）は、反射板４１の反射面の傾斜角が−３０度（ＬＥＤ２１の配光が最も強い方向に対する角度が１２０度）、反射板４１の反射面が乳白色面４１ｂ、かつ発光部１１が３面発光である照明装置３２の配光特性を示すグラフ、図３３の（ｂ）は、当該照明装置３２の構成を示す模式図である。
【０１２１】
図３５の（ａ）は、反射板４１の反射面の傾斜角が＋１０度（ＬＥＤ２１の配光が最も強い方向に対する角度が８０度）、反射板４１の反射面が乳白色面４１ｂ、かつ発光部１１が３面発光である照明装置３２の配光特性を示すグラフ、図３５の（ｂ）は、当該照明装置３２の構成を示す模式図である。
【０１２２】
図３６の（ａ）は、反射板４１の反射面の傾斜角が＋２０度（ＬＥＤ２１の配光が最も強い方向に対する角度が７０度）、反射板４１の反射面が乳白色面４１ｂ、かつ発光部１１が３面発光である照明装置３２の配光特性を示すグラフ、図３６の（ｂ）は、当該照明装置３２の構成を示す模式図である。
【０１２３】
以上に示した照明装置３１，３２の配光分布から判断した反射板（反射板１２，４１）の好ましい角度、およびより好ましい角度等は、実施形態７に示した角度と同様であった。
【０１２４】
〔実施形態９〕
本発明のさらに他の実施形態を図面に基づいて以下に説明する。なお、説明の便宜上、上記実施形態にて説明した部材と同じ機能を有する部材については、同じ符号を付記し、その説明を繰り返さない。
【０１２５】
ここでは、前述した、反射板１２（反射面の傾斜角が０度）を有し、反射板１２の反射面が乳白色面１２ｂ、かつ発光部１１が２面発光である照明装置３１の配光特性と、反射板４１（傾斜角有り）を有し、反射板４１の反射面が乳白色面４１ｂ、かつ発光部１１が２面発光である照明装置３２との配光特性について説明する。
【０１２６】
図３７の（ａ）は、傾斜角が０度（配光が最も強い方向に対する角度が９０度）、反射板１２の反射面が乳白色面１２ｂ、かつ発光部１１が２面発光である照明装置３１の配光特性を示すグラフ、図３７の（ｂ）は、当該照明装置３１の構成を示す模式図である。
【０１２７】
図３７の（ｂ）に示す照明装置３１は、光源カバー２３の前面が発光しない非発光面２３ａであり、左右の側面が発光する（左右の側面が発光面である）２面発光となっている。反射板１２の反射面は、ＬＥＤ２１の配光が最も強い方向に対して垂直（配光が最も強い方向に対する角度が９０度）となっている。
【０１２８】
図３８の（ａ）は、反射板４１の反射面の傾斜角が−１０度（ＬＥＤ２１の配光が最も強い方向に対する角度が１００度）、反射板４１の反射面が乳白色面４１ｂ、かつ発光部１１が２面発光である照明装置３２の配光特性を示すグラフ、図３８の（ｂ）は、当該照明装置３２の構成を示す模式図である。
【０１２９】
図３９の（ａ）は、反射板４１の反射面の傾斜角が−２０度（ＬＥＤ２１の配光が最も強い方向に対する角度が１１０度）、反射板４１の反射面が乳白色面４１ｂ、かつ発光部１１が２面発光である照明装置３２の配光特性を示すグラフ、図３９の（ｂ）は、当該照明装置３２の構成を示す模式図である。
【０１３０】
図４０の（ａ）は、反射板４１の反射面の傾斜角が−３０度（ＬＥＤ２１の配光が最も強い方向に対する角度が１２０度）、反射板４１の反射面が乳白色面４１ｂ、かつ発光部１１が２面発光である照明装置３２の配光特性を示すグラフ、図３３の（ｂ）は、当該照明装置３２の構成を示す模式図である。
【０１３１】
図４１の（ａ）は、反射板４１の反射面の傾斜角が＋１０度（ＬＥＤ２１の配光が最も強い方向に対する角度が８０度）、反射板４１の反射面が乳白色面４１ｂ、かつ発光部１１が２面発光である照明装置３２の配光特性を示すグラフ、図４１の（ｂ）は、当該照明装置３２の構成を示す模式図である。
【０１３２】
図４２の（ａ）は、反射板４１の反射面の傾斜角が＋２０度（ＬＥＤ２１の配光が最も強い方向に対する角度が７０度）、反射板４１の反射面が乳白色面４１ｂ、かつ発光部１１が２面発光である照明装置３２の配光特性を示すグラフ、図４２の（ｂ）は、当該照明装置３２の構成を示す模式図である。
【０１３３】
以上に示した照明装置３１，３２の配光分布から判断した反射板（反射板１２，４１）の好ましい角度、およびより好ましい角度等は、実施形態７に示した角度と同様であった。
【０１３４】
本実施形態にて示したように、光源カバーが直方体の光源カバー２３である場合、光源カバー２３は、前面が非発光面２３ａであってもよい。このように、２面は発光、かつ反射面が乳白色面１２ｂ，４１ｂである照明装置３１，３２においても、前方向より横方向に強い配光を有する配光特性を実現できる。
【０１３５】
なお、本実施形態では、照明装置３１，３２が２面発光の構成である場合として、反射板１２，４１の反射面が乳白色面１２ｂ，４１ｂである場合について示した。しかしながら、この場合の反射板１２，４１の反射面は鏡面１２ａ，４１ａであってもよい。
【０１３６】
〔実施形態１０〕
本発明のさらに他の実施形態を図面に基づいて以下に説明する。なお、説明の便宜上、上記実施形態にて説明した部材と同じ機能を有する部材については、同じ符号を付記し、その説明を繰り返さない。
【０１３７】
ここでは、前述した、反射板１２（反射面の傾斜角が０度）を有し、反射板１２の反射面が鏡面１２ａ、かつ光源カバー１８１が山形形状であり発光部１８２が２面発光の照明装置３３の配光特性と、反射板４１（傾斜角有り）を有し、反射面が鏡面４１ａ、かつ光源カバー１８１が山形形状であり発光部１８２が２面発光の照明装置３４との配光特性について説明する。
【０１３８】
図４３の（ａ）は、傾斜角が０度（配光が最も強い方向に対する角度が９０度）、反射板１２の反射面が鏡面１２ａ、かつ光源カバー１８１が山形形状であり発光部１８２が２面発光の照明装置３３の配光特性を示すグラフ、図４３の（ｂ）は、当該照明装置３３の構成を示す模式図である。
【０１３９】
図４３の（ｂ）に示す照明装置３３は、対向する側面によって山形を形成した光源カバー１８１を有し、２面発光となっている。光源カバー１８１の山形の頂部は、ＬＥＤ２１の前方向（ＬＥＤ２１の配光が最も強い方向）に一致している。光源カバー１８１を有する発光部１８２は、発光部１１と同様、ＬＥＤ基板２４を覆っている。反射板１２の反射面は、ＬＥＤ２１の配光が最も強い方向に対して垂直（配光が最も強い方向に対する角度が９０度）となっている。
【０１４０】
図４４の（ａ）は、反射板４１の反射面の傾斜角が−１０度（ＬＥＤ２１の配光が最も強い方向に対する角度が１００度）、反射板４１の反射面が鏡面４１ａ、かつ光源カバー１８１が山形形状であり発光部１８２が２面発光の照明装置３４の配光特性を示すグラフ、図４４の（ｂ）は、当該照明装置３４の構成を示す模式図である。
【０１４１】
図４５の（ａ）は、反射板４１の反射面の傾斜角が−２０度（ＬＥＤ２１の配光が最も強い方向に対する角度が１１０度）、反射板４１の反射面が鏡面４１ａ、かつ光源カバー１８１が山形形状であり発光部１８２が２面発光の照明装置３４の配光特性を示すグラフ、図４５の（ｂ）は、当該照明装置３４の構成を示す模式図である。
【０１４２】
図４６の（ａ）は、反射板４１の反射面の傾斜角が−３０度（ＬＥＤ２１の配光が最も強い方向に対する角度が１２０度）、反射板４１の反射面が鏡面４１ａ、かつ光源カバー１８１が山形形状であり発光部１８２が２面発光の照明装置３４の配光特性を示すグラフ、図４６の（ｂ）は、当該照明装置３４の構成を示す模式図である。
【０１４３】
図４７の（ａ）は、反射板４１の反射面の傾斜角が＋１０度（ＬＥＤ２１の配光が最も強い方向に対する角度が８０度）、反射板４１の反射面が鏡面４１ａ、かつ光源カバー１８１が山形形状であり発光部１８２が２面発光の照明装置３４の配光特性を示すグラフ、図４７の（ｂ）は、当該照明装置３４の構成を示す模式図である。
【０１４４】
図４８の（ａ）は、反射板４１の反射面の傾斜角が＋２０度（ＬＥＤ２１の配光が最も強い方向に対する角度が７０度）、反射板４１の反射面が鏡面４１ａ、かつ光源カバー１８１が山形形状であり発光部１８２が２面発光の照明装置３４の配光特性を示すグラフ、図４８の（ｂ）は、当該照明装置３４の構成を示す模式図である。
【０１４５】
以上に示した照明装置３３，３４の配光分布から判断した反射板（反射板１２，４１）の好ましい角度、およびより好ましい角度等は、実施形態７に示した角度と同様であった。
【０１４６】
以上のように、本実施形態の照明装置３３，３４は、山形形状の光源カバー１８１を有する構成とした。このように、光源カバー１８１が山形形状であっても、照明装置３３，３４は、直方体形状の光源カバー２３を有する照明装置３１，３２に近い配光特性を有している。この点は、下記の実施形態１１に示す照明装置３３，３４においても同様である。
【０１４７】
〔実施形態１１〕
本発明のさらに他の実施形態を図面に基づいて以下に説明する。なお、説明の便宜上、上記実施形態にて説明した部材と同じ機能を有する部材については、同じ符号を付記し、その説明を繰り返さない。
【０１４８】
ここでは、前述した、反射板１２（反射面の傾斜角が０度）を有し、反射板１２の反射面が乳白色面１２ｂ、かつ光源カバー１８１が山形形状であり発光部１８２が２面発光の照明装置３３の配光特性と、反射板４１（傾斜角有り）を有し、反射面が乳白色面４１ｂ、かつ光源カバー１８１が山形形状であり発光部１８２が２面発光の照明装置３４との配光特性について説明する。
【０１４９】
図４９の（ａ）は、傾斜角が０度（配光が最も強い方向に対する角度が９０度）、反射板１２の反射面が乳白色面１２ｂ、かつ光源カバー１８１が山形形状であり発光部１８２が２面発光の照明装置３３の配光特性を示すグラフ、図４９の（ｂ）は、当該照明装置３３の構成を示す模式図である。
【０１５０】
図５０の（ａ）は、反射板４１の反射面の傾斜角が−１０度（ＬＥＤ２１の配光が最も強い方向に対する角度が１００度）、反射板４１の反射面が乳白色面４１ｂ、かつ光源カバー１８１が山形形状であり発光部１８２が２面発光の照明装置３４の配光特性を示すグラフ、図５０の（ｂ）は、当該照明装置３４の構成を示す模式図である。
【０１５１】
図５１の（ａ）は、反射板４１の反射面の傾斜角が−２０度（ＬＥＤ２１の配光が最も強い方向に対する角度が１１０度）、反射板４１の反射面が乳白色面４１ｂ、かつ光源カバー１８１が山形形状であり発光部１８２が２面発光の照明装置３４の配光特性を示すグラフ、図５１の（ｂ）は、当該照明装置３４の構成を示す模式図である。
【０１５２】
図５２の（ａ）は、反射板４１の反射面の傾斜角が−３０度（ＬＥＤ２１の配光が最も強い方向に対する角度が１２０度）、反射板４１の反射面が乳白色面４１ｂ、かつ光源カバー１８１が山形形状であり発光部１８２が２面発光の照明装置３４の配光特性を示すグラフ、図５２の（ｂ）は、当該照明装置３４の構成を示す模式図である。
【０１５３】
図５３の（ａ）は、反射板４１の反射面の傾斜角が＋１０度（ＬＥＤ２１の配光が最も強い方向に対する角度が８０度）、反射板４１の反射面が乳白色面４１ｂ、かつ光源カバー１８１が山形形状であり発光部１８２が２面発光の照明装置３４の配光特性を示すグラフ、図５３の（ｂ）は、当該照明装置３４の構成を示す模式図である。
【０１５４】
図５４の（ａ）は、反射板４１の反射面の傾斜角が＋２０度（ＬＥＤ２１の配光が最も強い方向に対する角度が７０度）、反射板４１の反射面が乳白色面４１ｂ、かつ光源カバー１８１が山形形状であり発光部１８２が２面発光の照明装置３４の配光特性を示すグラフ、図５４の（ｂ）は、当該照明装置３４の構成を示す模式図である。
【０１５５】
以上に示した照明装置３３，３４の配光分布から判断した反射板（反射板１２，４１）の好ましい角度、およびより好ましい角度等は、実施形態７に示した角度と同様であった。
【０１５６】
〔実施形態１２〕
本発明のさらに他の実施形態を図面に基づいて以下に説明する。なお、説明の便宜上、上記実施形態にて説明した部材と同じ機能を有する部材については、同じ符号を付記し、その説明を繰り返さない。
【０１５７】
（反射板１２，４１の反射面の状態の違いによる配光特性の相違）
図５５の（ａ）は、反射板４１の反射面の傾斜角が例えば−１０度、反射板４１の反射面が乳白色面４１ｂ、かつ発光部１１が３面発光である照明装置３２の配光状態を示す説明図、図５５の（ｂ）は、上記照明装置３２の配光特性を示すグラフである。図５６の（ａ）は、反射板４１の反射面の傾斜角が−２０度、反射板４１の反射面が乳白色面４１ｂ、かつ発光部１１が３面発光である照明装置３２の構成を示す模式図、図５６の（ｂ）は、上記照明装置３２の配光状態を示す説明図、図５６の（ｃ）は、上記照明装置３２の配光特性を示すグラフである。なお、図５５の（ｂ）は、図３２の（ａ）に示した配光特性を詳細に示したものである。また、図５６の（ａ）は図３３の（ｂ）と、図５６の（ｃ）は図３３の（ａ）と同じ図である。
【０１５８】
照明装置３１，３２の配光特性は、図２５〜図５４より明らかなように、反射板１２，４１の反射面が鏡面１２ａ，４１ａである場合と乳白色面１２ｂ，４１ｂとで異なる。
【０１５９】
具体的には、例えば反射板４１の反射面の傾斜角が例えば−１０度、反射板４１の反射面が乳白色面４１ｂ、かつ発光部１１が３面発光である照明装置３２の配光状態は、図５５の（ａ）のようになり、その配光特性は図５５の（ｂ）のようになる。反射面が鏡面４１ａである場合の配光特性（図２６の（ａ））は、斜め前方の配光が特に強くなっている。これに対し、反射面が乳白色面４１ｂである場合の配光特性（図５５の（ｂ））は、斜め前方の配光があまり強くならず、斜め前方から前方の配光が全体的強くなっている。
【０１６０】
さらに、反射面の傾斜角が他の傾斜角である場合についても確認する。反射板４１の反射面の傾斜角が−２０度、反射板４１の反射面が乳白色面４１ｂ、かつ発光部１１が３面発光である照明装置３２の配光状態は、図５６の（ｂ）のようになり、その配光特性は図５６の（ｃ）のようになる。反射面が鏡面４１ａである場合の配光特性（図２７の（ａ））は、上記の場合と同様、斜め前方の配光が特に強くなっている。これに対し、反射面が乳白色面４１ｂである場合の配光特性（図５６の（ｂ））は、上記の場合と同様、斜め前方の配光があまり強くならず、斜め前方から前方の配光が全体的強くなっている。
【０１６１】
（照明装置３５の構成）
図５７の（ａ）は、本実施形態の照明装置３５の配光状態を示す説明図、図５７の（ｂ）は、照明装置３５の配光特性を示すグラフである。
【０１６２】
上述したような、反射面が鏡面４１ａである場合の配光特性と反射面が乳白色面４１ｂである場合の配光特性との相違を利用し、これら両方の配光特性を併せ持つ照明装置３５を製造することができる。
【０１６３】
照明装置３５は反射板４１を有し、反射板４１は、右側の反射面と左側の反射面との状態が異なる。具体的には、反射板４１は、例えば、向って右側の反射面が鏡面４１ａとなり、向って左側の反射面が乳白色面４１ｂとなっている。照明装置３５の他の構成は、前述した照明装置３２と同様である。
【０１６４】
（照明装置３５の動作および利点）
照明装置３５は、向って右側の反射面が鏡面４１ａとなり、向って左側の反射面が乳白色面４１ｂとなっていることにより、図５７の（ｃ）に示すように、左右にて異なる配光特性を示すことができる。具体的には、照明装置３５は、右側では、斜め前方の配光が特に強く、左側では、斜め前方の配光があまり強くならず、斜め前方から前方の配光が全体的強くなっている。これにより、照明装置３５は、左右にて不均一な配光が好ましい場所の照明装置として利用することができる。
【０１６５】
（照明装置３５を備えたショーケース１６１の構成）
図５８は、図５７に示した照明装置３５を備えたショーケース１６１の縦断面図である。図５８に示すように、ショーケース１６１の上板部１０４は、図１８に示したショーケース１０１の下方屈曲部１０４ａに代えて、下方へ円弧状に湾曲した下方湾曲部１０４ｂを有している。下方湾曲部１０４ｂは光を透過する。
【０１６６】
ショーケース１６１の第２棚１０３の下面には、第１棚１０２上の商品１０５を照らす照明装置３２が設けられ、上板部１０４の下面には、第２棚１０３上の商品１０５および下方湾曲部１０４ｂを照らす照明装置３５が設けられている。照明装置３２は図９に示した照明装置３２であり、照明装置３５は、図５７に示した照明装置３５である。
【０１６７】
照明装置３２は、第２棚１０３の幅方向を長手方向として、第２棚１０３の下面の前後方向の中央部に配置されている。照明装置３５は、上板部１０４の幅方向を長手方向として、下方湾曲部１０４ｂの近傍位置に配置されている。詳細には、照明装置３５は、乳白色面４１ｂである反射面の側が下方湾曲部１０４ｂ側に位置している。
【０１６８】
（ショーケース１６１における照明装置３２の動作および利点）
照明装置３５は、乳白色面４１ｂである反射面の側が下方湾曲部１０４ｂ側に位置し、鏡面４１ａである反射面の側が下方湾曲部１０４ｂ側とは反対側に位置している。したがって、照明装置３５は、左側の配光によって、下方湾曲部１０４ｂの円弧状の内面をほぼ均一に照らすことができ、また、右側の配光によって、第２棚１０３の上に配置されている商品１０５の全体を良好に照らすことができる。照明装置３２による動作は、およびショーケース１６１の他の利点は、ショーケース１０１と同様である。
【０１６９】
（発光部１１から出射する光束の縦横比）
図５９の（ａ）は、例えば照明装置３１の発光部１１から出射される縦横の光束の関係を示す説明図、図５９の（ｂ）は、上記光束の関係を配光特性によって示す説明図である。
【０１７０】
以上の各実施形態に示した照明装置の発光部１１，１８２において、発光部１１，１８２から縦方向（ＬＥＤ２１の前方向）へ出射する光束と発光部１１，１８２から横方向へ出射する光束との比である光束の縦横比は、縦：横が１：１以上（横／縦が１以上）であることが好ましい。
【０１７１】
〔実施形態１３〕
本発明のさらに他の実施形態を図面に基づいて以下に説明する。なお、説明の便宜上、上記実施形態にて説明した部材と同じ機能を有する部材については、同じ符号を付記し、その説明を繰り返さない。
【０１７２】
図６０は、本実施形態の照明装置に使用可能な反射板１２，１４および発光部の変形例を示す模式図である。図６０に示すように、反射板１４は左右が異なる傾斜角度であってもよし、例えば発光部１１の前後にそれぞれ設けられていてもよい。
【０１７３】
また、光源カバーについては、直方体形状（光源カバー２３）および山形形状（光源カバー１８１）のものを示したが、例えば台形、前後方向に長い楕円形、あるいは側面に相当する部分が湾曲したものなどであってもよい。
【０１７４】
なお、以上の実施形態に示した光源カバー２３，１８１の寸法について、縦（前方向）横（横方向）比である縦／横は１．５以上としてもよい。
【０１７５】
また、以上の実施形態では、ＬＥＤ２１の前方向（ＬＥＤ２１の配光が最も強い方向）と光源カバー２３，１８１の縦方向とが一致している構成とした。しかしながら、ＬＥＤ２１は、上記前方向が光源カバー２３，１８１の縦方向に対して傾いた状態に設置されていてもよい。すなわち、ＬＥＤ２１の前方向と光源カバー２３，１８１の縦方向（前方向）とが一致していなくても、光源カバー２３，１８１から出射される光束の縦横比（横／縦）が１以上であれば、以上の実施形態に示した照明装置は、上述した所望の効果を得ることができる。
【０１７６】
〔まとめ〕
本発明の態様１にかかる照明装置は、光源であるＬＥＤ２１、および前記ＬＥＤ２１を覆う光源カバー２３を有する発光部１１を備えている照明装置において、前記発光部１１は、前記光源カバー２３の表面から出射する光束について、前記ＬＥＤ２１の配光が最も強い方向である前方向と前記前方向と直交する横方向との比である横／縦が１以上であり、前記発光部１１における前記前方向とは反対側の面に設けられ、前記発光部１１から前記発光部１１の後方向へ出射する光を反射する反射部材（反射板１２，４１）を備えている。
【０１７７】
上記の構成によれば、発光部１１は、光源カバー２３の表面から出射する光束について、ＬＥＤ２１の配光が最も強い方向である前方向と前方向と直交する横方向との比である横／縦が１以上であり、反射部材は、発光部１１から発光部１１の後方向へ出射する光を反射する。したがって、発光部１１から発光部１１の後方向へ出射していた無駄になる光を有効に利用し、発光部１１の横方向の配光および斜め前方向の配光を強くすることができる。これにより、照明装置を例えば看板内やショーケースに配置した場合に、光源の粒々感、グレアおよび光ムラが生じ難く、良好な照明が可能となる。すなわち、本発明の一態様の照明装置は、発光部１１に反射部材を設けた簡単な構成により、光源にＬＥＤ２１を使用して良好な配光特性を有し、かつ低コストにて製造することができる。
【０１７８】
本発明の態様２にかかる照明装置は、上記態様１において、前記反射部材の反射面は、前記前方向に対する角度が９０度以上、１２０度以下である構成としてもよい。
【０１７９】
上記の構成によれば、光源カバー２３から横方向へ出射した光が反射部材によって大きく前方向へ集光されることがなく、発光部１１の横方向の配光および斜め前方向の配光を確実に強くすることができる。
【０１８０】
本発明の態様３にかかる照明装置は、上記態様２において、前記反射部材の反射面は、前記前方向に対する角度が９０度よりも大きい構成としてもよい。
【０１８１】
上記の構成によれば、発光部１１の横方向の配光および斜め前方向の配光をさらに確実に強くすることができる。
【０１８２】
本発明の態様４にかかる照明装置は、上記態様１から３のいずれか１態様において、前記反射部材の反射面は乳白色である構成としてもよい。
【０１８３】
上記の構成によれば、反射部材の反射面を乳白色とすることにより、反射部材の反射面を例えば鏡面とする場合よりも、発光部１１の横方向の配光および斜め前方向の配光の強さを若干やわらげ、横方向から前方向までの配光の均一さを促進することができる。
【０１８４】
本発明の態様５にかかる照明装置は、上記態様１から３のいずれか１態様において、前記反射部材の反射面は、前記光源カバー２３の前記横方向の左側と右側とで光の反射状態が異なる構成としてもよい。
【０１８５】
上記の構成によれば、反射部材の反射面は、光源カバー２３の横方向の左側と右側とで光の反射状態が異なるので、光源カバー２３の左側と右側との配光状態を照明装置の使用形態に応じて適切に設定することができる。
【０１８６】
本発明の態様６にかかる照明装置は、上記態様５において、前記反射部材の反射面は、前記光源カバー２３の前記横方向の左側と右側とのうちの一方が鏡面であり、他方が乳白色面である構成としてもよい。
【０１８７】
上記の構成によれば、照明装置の使用形態に応じて、光源カバーの横方向の左側と右側とのうちの一方側（鏡面側）の配光を横方向および斜め前方向が強い配光とし、他方側（乳白色側）の配光を横方向および斜め前方向の配光の強さを若干やわらげ、横方向から前方向までの配光の均一さを促進した状態とすることができる。
【０１８８】
本発明の態様７にかかる看板は、上記態様１から６のいずれか１態様の照明装置を備えている。
【０１８９】
上記の構成によれば、光源の粒々感、グレアおよび光ムラが生じ難い看板を簡単かつ低コストにて製造することができる。
【０１９０】
本発明の態様８にかかるショーケースは、上記態様１から６のいずれか１態様の照明装置を備えている。
【０１９１】
上記の構成によれば、光源の粒々感、グレアおよび光ムラが生じ難いショーケースを簡単かつ低コストにて製造することができる。
【０１９２】
本発明の態様９にかかるショーケースは、上記態様１から６のいずれか１態様の照明装置を備えている。
【０１９３】
上記の構成によれば、光源の粒々感、グレアおよび光ムラが生じ難い防犯灯を簡単かつ低コストにて製造することができる。
【０１９４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１９５】
１，２，３１，３２    照明装置
１１    発光部
１２，４１    反射板
２１    ＬＥＤ
２２    基板
２３    光源カバー
２４    ＬＥＤ基板
５１    看板
５２    筐体
５２ａ  背面板
５２ｂ  前面板
５２ｃ  上面板
５２ｄ  下面板
５２ｅ  右面板
５２ｆ  左面板
５３    固定部材
１０１，１３１，１６１    ショーケース
１７１    防犯灯
１８１    光源カバー
１８２    発光部
【図１】
2019142386.tif 000003
【図２】
2019142386.tif 000004
【図３】
2019142386.tif 000005
【図４】
2019142386.tif 000006
【図５】
2019142386.tif 000007
【図６】
2019142386.tif 000008
【図７】
2019142386.tif 000009
【図８】
2019142386.tif 000010
【図９】
2019142386.tif 000011
【図１０】
2019142386.tif 000012
【図１１】
2019142386.tif 000013
【図１２】
2019142386.tif 000014
【図１３】
2019142386.tif 000015
【図１４】
2019142386.tif 000016
【図１５】
2019142386.tif 000017
【図１６】
2019142386.tif 000018
【図１７】
2019142386.tif 000019
【図１８】
2019142386.tif 000020
【図１９】
2019142386.tif 000021
【図２０】
2019142386.tif 000022
【図２１】
2019142386.tif 000023
【図２２】
2019142386.tif 000024
【図２３】
2019142386.tif 000025
【図２４】
2019142386.tif 000026
【図２５】
2019142386.tif 000027
【図２６】
2019142386.tif 000028
【図２７】
2019142386.tif 000029
【図２８】
2019142386.tif 000030
【図２９】
2019142386.tif 000031
【図３０】
2019142386.tif 000032
【図３１】
2019142386.tif 000033
【図３２】
2019142386.tif 000034
【図３３】
2019142386.tif 000035
【図３４】
2019142386.tif 000036
【図３５】
2019142386.tif 000037
【図３６】
2019142386.tif 000038
【図３７】
2019142386.tif 000039
【図３８】
2019142386.tif 000040
【図３９】
2019142386.tif 000041
【図４０】
2019142386.tif 000042
【図４１】
2019142386.tif 000043
【図４２】
2019142386.tif 000044
【図４３】
2019142386.tif 000045
【図４４】
2019142386.tif 000046
【図４５】
2019142386.tif 000047
【図４６】
2019142386.tif 000048
【図４７】
2019142386.tif 000049
【図４８】
2019142386.tif 000050
【図４９】
2019142386.tif 000051
【図５０】
2019142386.tif 000052
【図５１】
2019142386.tif 000053
【図５２】
2019142386.tif 000054
【図５３】
2019142386.tif 000055
【図５４】
2019142386.tif 000056
【図５５】
2019142386.tif 000057
【図５６】
2019142386.tif 000058
【図５７】
2019142386.tif 000059
【図５８】
2019142386.tif 000060
【図５９】
2019142386.tif 000061
【図６０】
2019142386.tif 000062
【図６１】
2019142386.tif 000063
【図６２】
2019142386.tif 000064
【国際調査報告】
2019142386.tif 000065
2019142386.tif 000066
2019142386.tif 000067
2019142386.tif 000068